(57)【特許請求の範囲】
【請求項１】
パチンコ機械を収容したパチンコ機械台をパチンコ機械枠に開閉可能に取り付け、前記パチンコ機械台側に設けられた係止片と、前記パチンコ機械枠側に設けられる係止部とによって、前記係止片を摺動または回動して係止するパチンコ機械台の開閉鍵機構に前記パチンコ機械の前記鍵位置に合わせて自由に位置変更可能に前記パチンコ機械枠の側板のみに取り付ける施錠部本体からなり、
前記施錠部本体は、施錠時に突出して、前記係止片の移動を制限する施錠板と、
Ｌ字状に突起し、矩形状に切り込みを有する係合突起と、
通電されると吸引端が、引き込まれ、この吸引により、Ｔ字アジャスターの端部が、前記係合突起の端部を横方向に押圧し、この力により、前記施錠板を引き込みリセット状態とするリセット用ソレノイドと、
その他端が切り欠き構造を呈し、前記施錠板が突出したセット状態においては、該切り欠き構造が、前記係合突起の切り込み内に契合され、前記施錠板の引き込みを規制するＬ字形ストッパ部材と、
その吸引端が引き込まれると、前記ストッパ部材の鍵部が、押し下げられて、該鍵部と前記前記係合突起の切り込みとの係合状態が外れて、前記施錠板は、バネに押されて突出し、前記矩形状の切り込みの側端が、前記Ｔ字アジャスターの端部を押し、また、前記Ｌ字形ストッパ部材の前記切り欠き構造が、前記係合突起の切り込み内に契合し、セット状態となるセット用ソレノイドと、
からなり、
前記セット用ソレノイドは、この施錠部本体に設けられ、少なくとも（i）係員呼出ボタンのＯＦＦ信号、（ii）ホールコンピュータの打止信号のＯＦＦ信号、（iii）少なくとも店内事務所あるいは景品交換所に設けられたスイッチのＯＦＦ信号を検知した上で、さらに、（iv）前記パチンコ機械のガラス枠が閉まっていることを示すガラス枠ＯＦＦ信号、（v）前記パチンコ機械枠が閉まっていることを示す機械枠ＯＦＦ信号（ａ）、または、前記リセット用ソレノイド及び前記セット用ソレノイドの作動を集中的に管理する管理ボックスの一斉施錠スイッチのＯＮで施錠する一斉施錠（ｂ）を条件に、前記施錠板を突出させ、前記リセット用ソレノイドは、当該施錠部本体に設けられ、少なくとも（i）係員の呼出ボタンのＯＮ、（ii）パチンコ店のホールコンピュータの打止信号のＯＦＦ信号、（iii）少なくとも店内事務所または景品交換所に設けられたスイッチの信号出力を受けたときの営業時の施錠部本体解除（ａ）、また、管理ボックスの一斉解除スイッチのＯＮの一斉解除（ｂ）、非常解除ボックスのハンドルレバーの引き倒すことの一斉解除（ｃ）、施錠部本体下部にある引き紐環を引くことにより、当該施錠部本体解除（ｄ）を条件に、前記施錠板を引き込む、
ことを特徴とするパチンコ機械台施錠ロック装置。
【請求項２】
前記施錠部本体は、途中部が第１の蝶番および第２の蝶番の二つの蝶番によって、回動自在に構成され、上端が前記セット用ソレノイドによって下方向に押し下げられると、前記第１の蝶番部分が、前記機械枠の側板方向か垂直にせり出て、前記係止片の動きを規制するせり出し板からなることを特徴とする請求項１に記載のパチンコ機械台施錠ロック装置。
【発明の詳細な説明】
【０００１】
【発明の属する技術分野】
本発明は、パチンコ機械台の不正開放を防止する施錠ロック装置に関する。
【０００２】
【従来の技術】
パチンコ機械は、従来から、その遊技の途中で、玉詰まりや内部のメンテナンスの必要のため表面のガラス戸やパチンコ機械台が、それを取り付けた枠から開閉できる構造となっている。
【０００３】
図１０は、複数のパチンコ機械が一列状に配置されるパチンコ機械台に取り付けられたパチンコ機械を示すものであり、図１１は、このようなパチンコ機械台の前後の構造を示す図であり、一台のパチンコ機械の扉の開閉構造およびパチンコ機械を取り付けた機械台がその取り付け枠から開閉される構造を示す概略図である。図１１（ａ）は、一台のパチンコ機械台をその正面から見た概略図であり、ガラス扉が開いている状態を示す。また、同図（ｂ）は、一台のパチンコ機械台およびその取り付け枠を裏から見た概略図であり、パチンコ機械は省略して描いてある。
【０００４】
図１０において、１００は、パチンコ機械台、１０１は、ハンドル、１０２は、パチンコ玉出口、１０３は、受け皿、１０４は、番号ランプ兼係員呼出ボタン（以下、「係員呼出ボタン１０４」という。）である。
【０００５】
さらに、個々のパチンコ機械（図示外）は、図１１（ａ）に示すように、その一台一台がパチンコ機械台１００に取り付けられ、それが、パチンコ機械枠１０６に開閉可能に収納されており、このパチンコ機械枠１０６は、その正面には、ガラス扉１０７が、同ガラス枠１０８に対応して設けられ、同ガラス枠１０８には、前記ガラス扉１０７の開閉を検知するガラス枠スイッチ１０９ａ、１０９ｂ、１０９ｃのいずれか一つが設けられている。また、図１１（ｂ）から明らかなように、前記パチンコ機械枠１０６は、そのパチンコ機械枠１０６から、前記パチンコ機械１００台が、開閉可能に設けられ、その開閉状態を検知する機械枠スイッチ１１０ａ、１１０ｂのいずれか一つが設けられている。
【０００６】
そして、これらの開閉機構には、それぞれ開閉鍵（図示外）が設けられ、所定の合い鍵を鍵穴（図示外）に挿入して回動することにより、係止片を上下に摺動あるいは回動させて係止部との契合をはずして、前記パチンコ機械台１００の開閉作業を行っている。すなわち、パチンコ機械台１００をパチンコ機械枠１０６から開閉する必要のあるときは、係員が、合い鍵を鍵穴に差し込み、これを回して、しかる後、パチンコ機械台１００を引き出し、開閉するようにしている。
【０００７】
図１２（ａ）は、前記パチンコ機械台１００が前記パチンコ機械枠１０６に開閉可能に取り付けられている状態を示すため、一台のパチンコ機械台１００およびそのパチンコ機械枠１０６を上から見た概略図であり、同図（ｂ）および（ｃ）はこれらの開閉ロック機構の詳細概略を示すものであり、同図（ｂ）は、いわゆる摺動タイプのロック機構を示し、同図（ｃ）は、回動タイプのロック機構を示すものである。すなわち、前記パチンコ機械台１００には係止片１１１が設けられ、前記パチンコ機械枠１０６には、前記係止片１１１に対応して、これと契合する係止部１１２が設けられている。
【０００８】
図１２（ａ）（ｂ）（ｃ）から明らかなように、図示外鍵穴に係員が鍵を挿入して回動すると共に、前記パチンコ機械台１００を前記パチンコ機械枠１０６に押しつけると共に、前記ロック機構の前記係止片１１１を上下に摺動させ（同図（ｂ）参照）、または、回動させ（同図（ｃ）参照）、その先端部に設けられた切り込み溝１１３を前記パチンコ機械枠１０６に取り付けられた前記係止部１１２から外して、前記ロック機構の解除動作を行う。そして所定の作業の後は、再度、鍵穴を回動させつつ、前記パチンコ機械台１００を前記パチンコ機械枠１０６に押しつけると共に、前記ロック機構の前記係止片１１１を上下に摺動させ（同図（ｂ）参照）、または、回動させ（同図（ｃ）参照）、その先端部に設けられた切り込み溝１１３を前記パチンコ機械枠１０６に取り付けられた前記係止部１１２に係合するよう前記係止片１１１を動かして、閉止作業とする。
【０００９】
【発明が解決しようとする課題】
このようにしてパチンコ機械台の開閉は、これまでは、係員の持つ鍵によって行われてきたが、近年、このパチンコ機械台を遊技客自身が開閉して内部のパチンコ機器を改変したり、また、その遊技確率情報を書き込んだＲＡＭ（ランダムアクセスメモリ）を出玉率の高いものに交換したりする不正が行われることがある。この者たちは、中には、白昼堂々とパチンコ機械台を開け、または、パチンコ店の営業が終了した夜間に忍び込んで機械台を開け、内部操作を行うことも行われており、前記ロック機構は実際上は役に立たないといっても過言ではなかった。
【００１０】
また、このようなパチンコ機械台の開閉は、当該パチンコ機械に設けられた前述の鍵機構の改造を行うことによりなし得るものでもあるが、パチンコ機械自体の改造は、関係官庁の新たな許認可を必要とすることもあって、パチンコ機械を改造することは実際的ではない。
本願発明は、パチンコ機械自体をを改変することなく、簡易に、その取り付け部品であるパチンコ機械台１００およびパチンコ機械枠１０６に取り付け可能であって、かつ、上述のような実際上無防備な鍵開閉を防止し、真に鍵開閉の必要なときのみ機械台を開閉することができ、不必要な場合には、合い鍵等を使用しても機械台を開閉することができないパチンコ機械台の施錠ロック装置を提供することを目的とする。
【００１１】
【課題を解決するための手段】
上記課題を解決するために、本願請求項１に係る発明は、パチンコ機械台施錠ロック装置において、パチンコ機械を収容したパチンコ機械台をパチンコ機械枠に開閉可能に取り付け、前記パチンコ機械台側に設けられた係止片と、前記パチンコ機械枠側に設けられる係止部とによって、前記係止片を摺動または回動して係止するパチンコ機械台の開閉鍵機構に前記パチンコ機械の前記鍵位置に合わせて自由に位置変更可能に前記パチンコ機械枠の側板のみに取り付ける施錠部本体からなり、前記施錠部本体は、施錠時に突出して、前記係止片の移動を制限する施錠板と、Ｌ字状に突起し、矩形状に切り込みを有する係合突起と、通電されると吸引端が、引き込まれ、この吸引により、Ｔ字アジャスターの端部が、前記係合突起の端部を横方向に押圧し、この力により、前記施錠板を引き込みリセット状態とするリセット用ソレノイドと、その他端が切り欠き構造を呈し、前記施錠板が突出したセット状態においては、該切り欠き構造が、前記係合突起の切り込み内に契合され、前記施錠板の引き込みを規制するＬ字形ストッパ部材と、その吸引端が引き込まれると、前記ストッパ部材の鍵部が、押し下げられて、該鍵部と前記前記係合突起の切り込みとの係合状態が外れて、前記施錠板は、バネに押されて突出し、前記矩形状の切り込みの側端が、前記Ｔ字アジャスターの端部を押し、また、前記Ｌ字形ストッパ部材の前記切り欠き構造が、前記係合突起の切り込み内に契合し、セット状態となるセット用ソレノイドと、からなり、前記セット用ソレノイドは、この施錠部本体に設けられ、少なくとも（i）係員呼出ボタンのＯＦＦ信号、（ii）ホールコンピュータの打止信号のＯＦＦ信号、（iii）少なくとも店内事務所あるいは景品交換所に設けられたスイッチのＯＦＦ信号を検知した上で、さらに、（iv）前記パチンコ機械のガラス枠が閉まっていることを示すガラス枠ＯＦＦ信号、（v）前記パチンコ機械枠が閉まっていることを示す機械枠ＯＦＦ信号（ａ）、または、前記リセット用ソレノイド及び前記セット用ソレノイドの作動を集中的に管理する管理ボックスの一斉施錠スイッチのＯＮで施錠する一斉施錠（ｂ）を条件に、前記施錠板を突出させ、前記リセット用ソレノイドは、当該施錠部本体に設けられ、少なくとも（i）係員の呼出ボタンのＯＮ、（ii）パチンコ店のホールコンピュータの打止信号のＯＦＦ信号、（iii）少なくとも店内事務所または景品交換所に設けられたスイッチの信号出力を受けたときの営業時の施錠部本体解除（ａ）、また、管理ボックスの一斉解除スイッチのＯＮの一斉解除（ｂ）、非常解除ボックスのハンドルレバーの引き倒すことの一斉解除（ｃ）、施錠部本体下部にある引き紐環を引くことにより、当該施錠部本体解除（ｄ）を条件に、前記施錠板を引き込む、ことを特徴とする。
【００１２】
また、本願請求項２に係る発明は、前記請求項１に記載のパチンコ機械台施錠ロック装置において、前記施錠部本体は、途中部が第１の蝶番および第２の蝶番の二つの蝶番によって、回動自在に構成され、上端が前記セット用ソレノイドによって下方向に押し下げられると、前記第１の蝶番部分が、前記機械枠の側板方向か垂直にせり出て、前記係止片の動きを規制するせり出し板からなることを特徴とする。
【００１３】
【発明の実施の形態】
本願発明の一実施の形態について、図面に基づいて詳細に説明する。
図１は、本願発明の第一の実施の形態に係る施錠ロック装置の概略姿図であり、図２（ａ）（ｂ）は、同装置の前記パチンコ機械枠への取り付け例図、図３は、同装置の構成概略図、図４は、同装置の基本動作図である。
【００１４】
図１において、１は、前記施錠ロック装置の施錠部本体であり、２は、同施錠部１から施錠時に突出して、前記係止片１１１の移動を制限する施錠板、３は、該施錠部１をパチンコ機械枠１０６に取り付ける際の前後位置調整板、４は、同上下位置調整板、５は、同左右位置調整板である。
【００１５】
前記施錠板２は、前記係止片１１１を前記係止部１１２を契合させる際には、前記施錠部本体１内に引き込まれ、前記係止片１１１が前記係止部１１２に契合されると、その契合状態および他の扉開閉状態等の検知状態を加味して、突出し、その後、前記係止片１１１の以後の動きを規制する。この詳細は、後に、さらに詳しく説明する。
【００１６】
また、図中、６は、前記施錠部本体１から離れた位置、例えば、複数のパチンコ機械が設置される「島」内部に設置される非常解除ボックスであり、ワイヤ７を介して、前記施錠部１の解除機構（後述）に接続される。そして、一度に多くのパチンコ機械台の開閉が必要となったときに、係員が所持する鍵８で該ボックス６の扉を開放し、内部に設置されたハンドルレバー９を引き倒すことで、ワイヤ７を介して、前記施錠板２が引き込まれて、その後の、パチンコ機械台の開閉を可能とするものである。
【００１７】
また、符号１０は、別途の個別解除機構（図示外）の引き紐環であり、係員が、個別に、そのパチンコ機械台の開閉を必要とする非常時等のとき、「島」の内部から、その引き紐環１０を引いて、パチンコ機械台の開閉を可能とするものである。
【００１８】
図２（ａ）は、前記施錠部１を前記パチンコ機械枠１０６の側板に上位置に取り付けた際の取り付け状態を示す図であり、同図２（ｂ）は、前記施錠部１を前記パチンコ機械枠１０６の側板に下位置に取り付けた際の取り付け状態を示す図である。すなわち、パチンコ店の店内構成によっては、当該施錠部１を通常の鍵位置である上位置に取り付けることが困難な場合がある場合には、下位置に取り付けることができ、鍵位置に合わせて自由に位置変更ができるものである。図２（ａ）（ｂ）において、１００は、パチンコ機械台であり、上述した従来のパチンコ機械台と同様のものである。また、符号１０６，１１１も、上述したパチンコ機械枠１０６、係止片１１１であり、１は、本願発明に係る施錠部、２は、施錠板である。
【００１９】
また、図３（ａ）（ｂ）は、前記施錠本体１の基本構成図であり、特に、前記施錠板２の機構動作の概略を示す構成概略図である。そのうち、図３（ａ）は、該施錠板２の突出した状態の、いわゆるセット状態を、図３（ｂ）は、同施錠板２が引き込まれた状態の、いわゆるリセット状態を示すものである。
【００２０】
図３（ａ）（ｂ）において、符号２は、前記図１において説明した施錠板であり、Ｌ字状に突起し、矩形状に切り込み１２を有する係合突起１１と一体に構成され、前記施錠板２の移動に伴って該係合突起１１も一体に移動するように構成される。符号１３は、リセット用ソレノイドであり、通電されると吸引端１４が、引き込まれ、この吸引により、Ｔ字アジャスター１５の端部１６が、前記係合突起１１の端部を横方向に押圧し、この力により、前記施錠板２を引き込みリセット状態とする。なお、１７は、Ｌ字形ストッパ部材であり、一端は、前記リセット用ソレノイド１３の吸引端１４に接続され、その吸引により、回動動作を行うように構成される。
【００２１】
一方、該Ｌ字形ストッパ部材１７の他端は、切り欠き構造１８を呈し、前記施錠板２が突出したセット状態においては、該切り欠き構造１８が、前記係合突起１１の切り込み１２内に契合され、前記施錠板２の引き込みを規制する。そして、前記リセット用ソレノイド１３の吸引端１４が吸引されると、該Ｌ字形ストッパ部材１７は回動し、その結果、前記切り欠き構造１８が、前記係合突起１１の切り込み１２内から外れると共に、前記Ｔ字アジャスター１５の端部１６が、前記係合突起１１の端部を横方向に押圧し、この状態で、該係合突起１１の他端が、符号１９で表されるストッパー部材１９の鍵部２０を押し、該ストッパー部材１９を回動させ、鍵部２０を押しのけ、鍵部２０が、前記係合突起１１の切り込み１２内に係合させて、リセット状態とする。
【００２２】
次に、前記施錠板２を引き出すセット状態への動きを説明する。
図３（ａ）に示されるリセット状態から、セット状態へは、符号２１で示すセット用ソレノイドの吸引端２２が引き込まれると、前記ストッパー部材１９の鍵部２０が、押し下げられて、該鍵部２０と前記前記係合突起１１の切り込み１２との係合状態が外れて、前記施錠板２は、バネ２３に押されて突出する。このとき、前記矩形状の切り込み１２の側端が、前記Ｔ字アジャスター１５の端部を押し、また、前記Ｌ字形ストッパ部材１７の前記切り欠き構造１８が、前記係合突起１１の切り込み１２内に契合し、セット状態となる。
【００２３】
図４は、上記施錠板２のセット状態およびリセット状態を示す概略図であり、図４（ａ）は、摺動タイプの係止片１１１を有するもののセット状態のとき、同図４（ｂ）は、回動タイプの係止片１１１を有するもののセット状態のとき、同図（ｃ）は、解除時であるリセット状態のときのそれぞれ前記施錠板２、係止片１１１および係止部１１２の配置関係を示す図である。
【００２４】
なお、図３（ａ）（ｂ）において、符号２４は、前記施錠板２がセット状態かリセット状態であることを検知するリミットスイッチ、２５は、前記パチンコ機械台１００が、前記パチンコ機械枠１０６に契合している状態を検知するリミットスイッチである。
【００２５】
また、前記リセット用ソレノイド１３および前記セット用ソレノイド２１の作動は、別途に設けられた制御基板３０によって行われ、該制御基板３０は、常に、前記係員呼出ボタン１０４の出力信号がＯＦＦ、前記ガラス枠スイッチ１０９ａ、１０９ｂの開閉信号および前記機械枠スイッチ１１０ａ、１１０ｂの開閉信号がＯＮ状態であることを確認して、前記リセット用ソレノイド１３または前記セット用ソレノイド２１に通電されるように構成される。すなわち、後に詳述するように、当該制御基板３０は、前記施錠部本体をコントロールする基板であり、各パチンコ機械台１００に１基づつ配置され、当該施錠部本体に対し、自動解除、自動施錠、一斉解除、一斉施錠等、全ての解除・施錠動作を、この基板３０を通じて行わしめるようにしたものである。
【００２６】
図５は、当該制御基板３０との接続関係を示す図である。図５において、１は、前記施錠部本体であり、各パチンコ機械台１００およびパチンコ機械枠１０６毎に設けられる。また、３０は、前記制御基板、１０５は、前記係員呼出ボタン、１０９ａ、１０９ｂは、係員によって、パチンコ機械の前面側ガラス枠が開けられると、作動する前記ガラス枠スイッチ、１１０ａ、１１０ｂは、機械台の施錠解除操作により作動し、当該機械台が開状態にあるか、閉状態にあるかを確認する信号が発せられる前記機械枠スイッチである。さらに、６は、前記非常解除ボックスであり、１０’は、前記引き紐環１０を有する前記個別解除機構であり、各施錠部本体１毎に設けられる。
【００２７】
このような構成において、該制御基板３０は、前述の係員呼出ボタン１０４、前記ガラス枠スイッチ１０９ａ、１０９ｂのいずれか、前記機械枠スイッチ１１０ａ、１１０ｂからのいずれかの信号の有無に従い、予め定められた手順に従い、前記リセット用ソレノイド１３または前記セット用ソレノイド２１を作動させる。すなわち、これらのいずれの信号のＯＮまたはＯＦＦの状態が、予め、定められた手順でない場合には、前記リセット用ソレノイド１３または前記セット用ソレノイド２１のいずれにも、通電されず、その結果、前記リセット用ソレノイド１３または前記セット用ソレノイド２１は、作動せず、結局、前記施錠板２は、突出または引き込まれない。
【００２８】
したがって、不正にパチンコ機械台１００を開閉しようとしても、本実施の形態に係わるロック機構が作動せず、パチンコ機械台１００をパチンコ機械枠１０６から開閉することはできなくなる。また、係員がガラス扉１０７を完全に閉めるのを忘れ、または、係員呼出ボタン１０４のスイッチをリセットしない限り、この実施の形態に係わるロック機構が作動せず、完全な状態でのパチンコ機械台１００の開閉が行われる。
【００２９】
なお、図５において、３１は、前記施錠部本体１が、解除状態にあるとき、その状態を示す信号を外部のランプまたはコンピュータ等（いずれも図示外）に出力して、その解除状態をランプに表示をしたり、コンピュータで処理をするのに使用する解除出力信号端である。このような出力端３１を設けておくことにより、前記施錠部本体１の解除状態の有無、時期等を記憶させておいたりすることができ、その記録を検討することによって、そのパチンコ機械台１００の開閉状態を把握することができ、通常の開閉動作でない開閉動作があった場合にも、このパチンコ機械台１００におかしな動作があったことを知ることができ、不正を把握することができる。
【００３０】
また、図５に示す符号３２および３３は、上記の場合とは逆に別途コンピュータ等からの出力を受ける端子であり、また、他の例えば、特定の場所に設けた押しボタンスイッチ等からの信号を受ける端子である。このような入力端子３２，３３は、必要に応じ、任意に設けてよく、このような入力端子３２，３３を設けておくことにより、様々な接続機器からの信号に基づいて、自由に前記施錠部本体１の解除方法・態様を決することができる。例えば、係員呼出信号やコンピュータの打止信号、特定箇所に設けたスイッチその他の指示信号等解除指示信号に基づいて多様性に富んだ解除方法・解除態様を決めることができるのである。
【００３１】
図６は、図５に示した制御基板３０を前記施錠部本体１のそれぞれに接続して、パチンコ店舗内の管理室に設置した管理ボックスで集中的に管理できるようにした配置例を示すものである。
図６において、４０は、電源分電盤、４１は、前記管理ボックス、４２は、トランス、４３は、一斉解除・一斉施錠ライン、４４は、ＡＣ１００ｖ電源ライン、４５は、ＡＣ２４ｖ電源ライン、４６は、電源表示および解除コントロール表示ラインである。
【００３２】
この配置例の動作について説明する。なお、これまでの説明においては、施錠板２が突出した状態をセット状態、同施錠板２が引き込まれた状態をリセット状態として説明してきたが、今後の説明においても、セット状態、リセット状態の用語をそのまま使用することがあると共に、時として、セット状態ないしそのようにする操作を施錠状態ないし施錠操作、リセット状態ないしそのようにする操作を解除状態ないし解除操作として説明する。
【００３３】
まず、前記分電盤４０から電源を供給され、一旦、前記管理ボックス４１内を通って、前記ＡＣ１００ｖ電源ライン４４から、トランス４２でＡＣ２４ｖに降圧され、前記ＡＣ２４ｖ電源ライン４５を通じて、前記制御基板３０および施錠部本体１への配線は、各施錠部本体１の電源となる。そして、各施錠部本体１に電源が供給され、全台の電源表示ランプに表示させ、また、全台の施錠部本体１が、コントロール状態にあることを示すための表示を、前記電源表示および解除コントロールライン４６を通じて、前記管理ボックス４１内のランプを点灯させる。
【００３４】
そして、全店のメンテナンスを行う場合などには、前記管理ボックス４１内に設けられた一斉解除・一斉施錠スイッチ（図示外）を投入または解除することにより、全台の一斉解除・一斉施錠を行う。なお、一斉解除・一斉施錠の動作は、前記管理ボックス４１の一斉解除・一斉施錠スイッチ（図示外）を投入または解除することにより、この信号が、まず、第１の制御基板３０に伝わり、その制御基板３０に接続された前記施錠部本体１の解除または施錠を行い、その解除または施錠の動作が行われた後に、次に接続された第２の制御基板３０に、前記一斉解除・一斉施錠信号を送り、この信号を受けた制御基板３０では、その制御基板３０に接続された前記施錠部本体１の解除または施錠を行い、その解除または施錠の動作が行われた後に、次に接続された第３の制御基板３０に、前記一斉解除・一斉施錠信号を送るというように、順次接続された制御基板３０について行われるように構成される。これは、一斉に解除または施錠を行うとすれば、一斉にソレノイドが作動し、電力容量が不足することから、順次、一斉解除、一斉施錠の動作が行われるようにした。
【００３５】
次に、具体的な操作方法について、▲１▼営業開始時、▲２▼解除時、▲３▼施錠時に分けて説明する。
▲１▼営業開始時操作
まず、通常の営業開始操作においては、前記管理ボックス４１の鍵付きボックス（図示外）内の１００ｖ用ブレーカーをＯＮにし、各「島」のラインの電源表示を確認し、ついで、一斉施錠スイッチを確認して、通常の営業状態に入る。
【００３６】
（２）解除時操作
次に、営業中において、（ａ）前記施錠部本体１を解除する際には、常に、（ｉ）係員の呼出ボタンがＯＮ、（ii）パチンコ店のホールコンピュータの出力が打ち止め状態にない、（iii）店内事務所または景品交換所等に設けられたスイッチ等のその他の信号出力を受けたときのみ、前記ガラス枠を開くことができるように解除動作を行わしめる。
【００３７】
また、（ｂ）一斉解除をする際には、事務所内に設けられた前記管理ボックス４１の一斉解除スイッチ（図示外）でＯＮすることにより、各施錠部本体１を一斉に解除状態にする。
【００３８】
さらに、（ｃ）該施錠部本体１は、前述したように、前記施錠部本体１から離れた位置、例えば、複数のパチンコ機械が設置される「島」内部に設置される非常解除ボックス６のハンドルレバー９を引き倒すことで解除される。
【００３９】
また、（ｄ）前記施錠部本体１の下部にある引き紐環１０を引くことにより、当該施錠部本体１のみを解除することができる。
【００４０】
▲３▼施錠時操作
（ａ）営業時の施錠
（ｉ）係員呼出ボタンのＯＦＦ状態、（ｉｉ）ホールコンピュータの打止信号のＯＦＦ状態、（ｉｉｉ）店内事務所あるいは景品交換所等に設けられたスイッチ等の信号のＯＦＦ状態を検知した上で、さらに、（ｉｖ）前記ガラス枠スイッチのＯＦＦ状態、（ｖ）前記機械枠スイッチのＯＦＦ状態を検知し、前記施錠部本体１を施錠状態（自動施錠）を行う。
【００４１】
（ｂ）営業時の一斉施錠
事務所に設置された前記管理ボックス４１の一斉施錠スイッチ（図示外）をＯＮすることにより、各施錠部本体１の施錠を行う。
【００４２】
（ｃ）営業外（無人時）の一斉施錠
夜間等、パチンコ店内に誰もいなくなる無人時にも、時には、無人の店舗に潜入してパチンコ機械のＲＯＭを交換してしまうことも行われる。これを防ぐために、店内が、無人時であっても、前記事務所に設置された管理ボックス４１の一斉施錠スイッチをＯＮ位置のまま１００ｖ電源をＯＦＦとすることで、一斉施錠状態が、維持される。すなわち、前記施錠部本体１は、電源ＯＮにし、上述の解除操作をするまで、施錠の状態が維持される。
【００４３】
次に、本願発明の他の実施の形態について、図面に基づいて詳細に説明する。上述してきた施錠ロック装置は、前記パチンコ機械台１００と前記パチンコ機械枠１０６との間にかなりのスペースがある場合には、容易に、該ロック装置を取り付け、パチンコ機械台１００の不正開閉を防止することができる。しかしながら、前記パチンコ機械台１００とパチンコ機械枠１０６との間は、各パチンコ店の「島」構造等に影響され、中には、パチンコ機械台１００とパチンコ機械枠１０６との間、特に、パチンコ機械枠１０６に奥行きスペースがなく、前述の第一に実施の形態に係るロック装置では、取り付けができないものがある。
【００４４】
この第二の実施の形態に係るロック装置は、前記パチンコ機械台１００とパチンコ機械枠１０６との間の、特に、前記パチンコ機械枠１０６の取り付け奥行きのない機械枠に対して、上述と同様の、パチンコ機械台１００の開閉を規制するロック装置を提供することを目的とするものである。
【００４５】
図７は、本願発明の他の実施の形態である第二の実施の形態に係る施錠ロック装置のリセット状態を示した概略図である。図８は、同装置のセット状態を示した概略図である。
【００４６】
図７、図８において、符号５１は、該ロック装置の施錠部本体であり、左側の側板が前記パチンコ機械枠１０６の側板（後述）に取り付けられる。５２は、前述の施錠板２に相当するもので、パチンコ機械枠１０６の側板方向からせり出て、前記係止片１１１の動きを規制するせり出し板、５３は、前述の図３に示したリセット用ソレノイド１３に相当するリセット用ソレノイド、５４は、前述の図３に示したセット用ソレノイド２１に相当するセット用ソレノイドである。該せり出し板５２は、途中部が蝶番６４および蝶番６５の二つの蝶番によって、回動自在に構成されており、前記せり出し板５２の上端が、下方向に押し下げられると、前記蝶番６４部分が、垂直にせり出す構造となっている。
【００４７】
また、図７、図８中、符号５５は、図示外スプリングによって、上方からつり下げられ、その下端は、前記パチンコ機械枠１０６の側板から垂直方向にせり出た形状を有する動作板であり、かつ、その途中部分には、機械枠リミットスイッチ５６を押下する突起５７を有する。また、５８は、前記セット用ソレノイド５４の吸引端５９が吸引されると、前記せり出し板５２の上端を引き下げる引き下げ板であり、符号６０は、前記せり出し板５２の後背板であり、途中部分にセット用爪６１を突出させる爪板窓６２が開けられ、さらに、この爪板窓６２から、上端が爪状に形成されたセット用爪６１が、前記せり出し板５２方向に突出する構成を有する。そして、セット用爪６１が、前記爪板窓６２から突出しない場合には、当該後背板６０に当接する構成を有する。
【００４８】
図９は（ａ）は、当該セット用爪６１の部分の概略構成を示す図であり、同図（ｂ）（ｃ）は、その動作の概略を示す図である。図９（ａ）（ｂ）（ｃ）に示した概略図から明らかなように、当該セット用爪６１は、ある所定位置に来たときに、前記爪板窓６２から、前記セット用爪６１が突出し、他の位置では、前記セット用爪６１が前記爪板窓６２から突出しない構造を有する。このため、当該セット用爪６１は、その中間部にコロ状の支点部６７、６７を有し、この支点部６７，６７を中心として回動する構造を有する。そして、この支点部６７，６７の間には、前記セット用爪６１を常時前記後背板６０に当接するように押しつけるスプリング６８を有する一方、前記支点部６７，６７の前記セット用爪６１の反対側の力点部７２には、前記リセット用ソレノイド５４の押し出し端７０の下端にはてこ部材７１が当接され、前記押し出し端７０の押し出しによって、該力点部７２を前記後背板６０方向に押しつける構成を有する。
【００４９】
また、図７、図８において、符号６３は、前記せり出し板５２が、リセット状態で、前記後背板６０に密着させる磁石であり、６９は、前記動作板５５の押し下げられることによって、該施錠部本体５１が、セット状態にあるか、リセット応対にあるかを検知して、外部に出力する動作確認用リミットスイッチである。
【００５０】
次ぎに、この施錠部本体５１の動作の詳細について説明する。
まず、図７に示すリセット状態から、施錠状態であるセット状態への動作について説明する。
【００５１】
前記係止片１１１が投入されて、この係止片１１１によって、前記作動板５５の下端を押し下げると、前記動作板５５の前記突起５７が、この動作に伴って押し下げられ、機械枠リミットスイッチ５６をＯＮにする。そうすると、この機械枠リミットスイッチ５６のＯＮによって、前記セット用ソレノイドの吸引端５９が吸引され、その先端に設けられた爪６３によって、前記引き下げ板５８の下端を引き下げ、この引き下げ板５８が引き下げられることによって、その上端に係止された前記せり出し板５２を引き下げる。該せり出し板５２が引き下げられると、前記蝶番６４、蝶番６５によって、前記蝶番６４部分は、前記後背板６０から垂直方向に離れ、前記蝶番６４および蝶番６５の間の部分が、図８に示すように水平状態を呈する。
【００５２】
そして、前記せり出し板５２の上端が下降して、前記後背板６０の途中に設けられた前記爪板窓６２を通過すると、その背後から、上端が爪状に形成された前記セット用爪６１が突出し、前記せり出し板５２の上端を係止する。一方、前記せり出し板５２の上端が、前記動作確認用リミットスイッチ６９との当接から解放されることから、ＯＮ状態またはＯＦＦ状態となり、当該施錠部本体５１が、セット状態にあることを検知し、その旨の信号を外部の、例えば、ホールコンピュータあるいは係員呼出ランプを点滅、消灯等させる。
【００５３】
この状態が、該施錠部本体５１が、施錠状態すなわちセット状態となり、前記蝶番６４および蝶番６５の間の水平状態を呈する部分によって、前記係止片１１１の移動が規制され、この部分の水平状態が解除されない限り、前記係止片１１１を取り去ることはできなくなる。
【００５４】
次に、この施錠状態を解除して、リセット状態に復帰させる動作について説明する。
リセット動作は、前記リセット用ソレノイド５３に通電されると、その押し出し端７０を押し下げ、この押し出し端７０の下端に当接される前記てこ部材７１が、前記力点部７２を前記後背板６０方向に押しつける。そうすると、この力点部７２の押圧により、前記セット用爪６１は、前記支点部６７，６７を中心として、前記後背板６０から離れる方向に動作し、このため、このセット用爪６１と前記せり出し板５２の上端の間の係止が外れる。
【００５５】
その結果、前記せり出し板５２の途中部分の蝶番６４および蝶番６５の二つの蝶番および該せり出し板５２と前記後背板６０との間に介在させたスプリング６６の働きによって、前記せり出し板５２は、前記後背板６０方向に引き寄せられる。
【００５６】
さらに、前記せり出し板５２は、前記後背板６０方向に引き寄せられ、最後には、前記磁石６３に前記せり出し板５２が吸い付けられ、密着した状態となり、前記二つの蝶番６４，６５の間は前記パチンコ機械枠１０６の側板に対して平行となり、解除状態すなわちリセット状態を呈する。そして、これとともに、前記せり出し板５２の上端は、前記動作確認用リミットスイッチ６９と当接し、この動作確認用リミットスイッチ６９をＯＮ状態またはＯＦＦ状態とし、当該施錠部本体５１が、リセット状態にあることを検知し、その旨の信号を外部の例えば、ホールコンピュータあるいは係員呼出ランプの点滅、消灯等で表示する。
【００５７】
以上説明したとおり、本願発明に係る第二の実施の形態に係るロック装置の施錠部本体５１は、パチンコ機械台１００とパチンコ機械枠１０６との間に充分な設置スペースがない場合にも、特に、設置の奥行きスペースがない場合にも、容易に、パチンコ機械台１００とパチンコ機械枠１０６間に設置することができ、この間に設置された施錠部本体５１に対し、上述した第一の実施の態様に係る施錠部本体１を操作する制御基板３０と同様の制御基板３０を配線接続してやることにより、必要なときのみに、必要なパチンコ機械台のみの開閉操作を行うことができ、その操作方法に従わない不正なパチンコ機械台の開閉を阻止することができる。
【００５８】
なお、上記のロック装置は、主として、パチンコ機械台１００とパチンコ機械枠１０６との間の開閉ロックについて説明してきたが、これらの開閉ロック装置は、パチンコ機に限るものではなく、スロットマシンその他の遊技機に開閉操作にも使用できるものである。
【００５９】
【発明の効果】
以上説明したとおり、本願発明に係るパチンコ機械台の施錠ロック装置によれば、パチンコ機械自体をを改変することなく、簡易に、その機械枠に取り付けるだけで、一定の方式に従わないパチンコ機械台の開閉を阻止することができ、その結果、前述したような実際上無防備な従来までの鍵開閉を防止し、真に鍵開閉の必要なときのみパチンコ機械台の開閉操作を行うことができる。
【００６０】
また、一定の方式に従わないパチンコ機械台の開閉操作に対して、堅固な開閉を維持することができ、不正なパチンコ機械台の開閉操作を阻止することができるという極めて優れた効果がある。
【図面の簡単な説明】
【図１】  図１は、本願発明の第一の実施の形態に係る施錠ロック装置の概略姿図、
【図２】  図２（ａ）（ｂ）は、同装置の前記パチンコ機械枠への取り付け例図、
【図３】  図３（ａ）（ｂ）は、同装置の構成概略図、
【図４】  図４（ａ）は、摺動タイプの係止片１１１を有するもののセット状態のとき、同図４（ｂ）は、回動タイプの係止片１１１を有するもののセット状態のとき、同図（ｃ）は、解除時であるリセット状態のときのそれぞれ前記施錠板２、係止片１１１および係止部１１２の配置関係を示す図、
【図５】  図５は、前記リセット用ソレノイド１３および前記セット用ソレノイド２１の作動を制御する制御基板３０の接続関係図、
【図６】  図６は、図５に示した制御基板３０を前記施錠部本体１のそれぞれに接続して、パチンコ店舗内の管理室に設置した管理ボックスで集中的に管理できるようにした配置例を示す図、
【図７】  図７は、本願発明の他の実施の形態である第二の実施の形態に係る施錠ロック装置のリセット状態を示した概略図、で
【図８】  図８は、同装置のセット状態を示した概略図、
【図９】  図９は、セット用爪の概略を示す図、
【図１０】  図１０は、複数のパチンコ機械が一列状に配置されるパチンコ機械台に取り付けられたパチンコ機械を示す図、
【図１１】  図１１（ａ）は、ガラス扉が開いている状態のパチンコ機械台をその正面から見た概略図、同図（ｂ）は、パチンコ機械台およびその取り付け枠を裏から見た概略図、
【図１２】  図１２（ａ）は、前記パチンコ機械台１００が前記パチンコ機械枠１０６に開閉可能に取り付けられている状態を示すパチンコ機械台１００およびそのパチンコ機械枠１０６を上から見た概略図、同図（ｂ）および（ｃ）はこれらのロック機構の詳細概略図。
【符号の説明】
１・・・施錠部本体
２・・・施錠板
３・・・前後位置調整板
４・・・上下位置調整板
５・・・左右位置調整板
６・・・非常解除ボックス
７・・・ワイヤ
８・・・鍵
９・・・ハンドルレバー
１０・・・引き紐環
１１・・・係合突起
１２・・・切り込み
１３・・・リセット用ソレノイド
１４・・・吸引端
１５・・・Ｔ字アジャスター
１６・・・端部
１７・・・Ｌ字形ストッパ部材
１８・・・切り欠き構造
１９・・・ストッパー部材
２０・・・鍵部
２１・・・セット用ソレノイド
２２・・・吸引端
２３・・・バネ
２４・・・リミットスイッチ
２５・・・リミットスイッチ
３０・・・制御基板
３１・・・出力端
３２・・・入力端子
３３・・・入力端子
４０・・・電源分電盤
４１・・・管理ボックス
４２・・・トランス
４３・・・一斉解除・一斉施錠ライン
４４・・・ＡＣ１００Ｖ電源ライン
４５・・・ＡＣ２４ｖ電源ライン
４６・・・電源表示および解除コントロールライン
５１・・・セイジョウ部本体
５１・・・施錠部本体
５２・・・せり出し板
５３・・・リセット用ソレノイド
５４・・・セット用ソレノイド
５５・・・動作板
５６・・・機械枠リミットスイッチ
５７・・・突起
５８・・・引き下げ板
５９・・・吸引端
６１・・・セット用爪
６２・・・爪板窓
６３・・・爪
６４・・・蝶番
６５・・・蝶番
６６・・・スプリング
６７・・・支点部
６８・・・スプリング
６９・・・動作確認用リミットスイッチ
７０・・・押し出し端
７１・・・部材
７２・・・力点部
１００・・・パチンコ機械台
１０１・・・ハンドル
１０２・・・パチンコ玉出口
１０３・・・受け皿
１０４・・・番号ランプ兼係員呼出ボタン
１０６・・・パチンコ機械枠
１０７・・・ガラス扉
１０８・・・ガラス枠
１０９ａ、１０９ｂ、１０９ｃ・・・ガラス枠スイッチ
１１０ａ、１１０ｂ、１１０ｃ・・・機械枠スイッチ
１１１・・・係止片
１１２・・・係止部
１１３・・・切り込み溝
【図１】
0004270606.tif 000002
【図２】
0004270606.tif 000003
0004270606.tif 000004
【図３】
0004270606.tif 000005
0004270606.tif 000006
【図４】
0004270606.tif 000007
【図５】
0004270606.tif 000008
【図６】
0004270606.tif 000009
【図７】
0004270606.tif 000010
【図８】
0004270606.tif 000011
【図９】
0004270606.tif 000012
【図１０】
0004270606.tif 000013
【図１１】
0004270606.tif 000014
【図１２】
0004270606.tif 000015